【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
無線伝送される音声信号を受信する音声信号受信部と、前記音声信号受信部が受信した音声信号を復調する音声処理部と、前記音声処理部が復調した音声信号を音響変換して出力するスピーカ部と、ロール角を計測するジャイロセンサと、外部機器との間の制御信号を送受信する制御信号送受信部と、前記ジャイロセンサが計測したロール角に基づいて制御信号を前記制御信号送受信部によって送信し、前記制御信号送受信部が受信した制御信号に対応して制御動作を行う制御部とを備えることを特徴とする無線スピーカ。
【請求項２】
複数の音声信号入力端子と、前記音声信号入力端子から入力された音声信号の種類に応じて送信フォーマットに変換する音声信号処理部と、前記音声信号処理部によって信号処理された音声信号を無線スピーカに送信する音声信号送信部と、前記音声信号送信部の送信先となる無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記音声信号送信部から前記無線スピーカに送信する音声信号を切替え制御する制御部とを備えることを特徴とする無線オーディオセンタ。
【請求項３】
無線スピーカと、無線オーディオセンタとを備える無線オーディオシステムであって、前記無線スピーカは、前記無線オーディオセンタからの音声信号を受信する音声信号受信部と、前記音声信号受信部が受信した音声信号を復調する音声処理部と、前記音声処理部が復調した音声信号を音響変換して出力するスピーカ部と、ロール角を計測するジャイロセンサと、前記無線オーディオセンタとの間の制御信号を送受信する制御信号送受信部と、予め設定された識別データを記憶し、前記ジャイロセンサが計測したロール角に基づいて制御信号を前記制御信号送受信部によって送信し、前記制御信号送受信部が受信した制御信号に対応して制御動作を行う制御部とを備え、前記無線オーディオセンタは、複数の音声信号入力端子と、前記音声信号入力端子から入力された音声信号の種類に応じて送信フォーマットに変換する音声信号処理部と、前記音声信号処理部によって信号処理された音声信号を前記無線スピーカに送信する音声信号送信部と、前記音声信号送信部の送信先となる前記無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記音声信号送信部から前記無線スピーカに送信する音声信号を切替え制御する制御部とを備えることを特徴とする無線オーディオシステム。
【手続補正２】
【補正対象書類名】明細書
【補正対象項目名】００１２
【補正方法】変更
【補正の内容】
【００１２】
本発明に係る無線オーディオセンタは、複数の音声信号入力端子と、前記音声信号入力端子から入力された音声信号の種類に応じて送信フォーマットに変換する音声信号処理部と、前記音声信号処理部によって信号処理された音声信号を無線スピーカに送信する音声信号送信部と、前記音声信号送信部の送信先となる無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記音声信号送信部から前記無線スピーカに送信する音声信号を切替え制御する制御部とを備える。
【手続補正３】
【補正対象書類名】明細書
【補正対象項目名】００１３
【補正方法】変更
【補正の内容】
【００１３】
本発明に係る無線オーディオシステムは、無線スピーカと、無線オーディオセンタとを備える無線オーディオシステムであって、前記無線スピーカは、前記無線オーディオセンタからの音声信号を受信する音声信号受信部と、前記音声信号受信部が受信した音声信号を復調する音声処理部と、前記音声処理部が復調した音声信号を音響変換して出力するスピーカ部と、ロール角を計測するジャイロセンサと、前記無線オーディオセンタとの間の制御信号を送受信する制御信号送受信部と、予め設定された識別データを記憶し、前記ジャイロセンサが計測したロール角に基づいて制御信号を前記制御信号送受信部によって送信し、前記制御信号送受信部が受信した制御信号に対応して制御動作を行う制御部とを備え、前記無線オーディオセンタは、複数の音声信号入力端子と、前記音声信号入力端子から入力された音声信号の種類に応じて送信フォーマットに変換する音声信号処理部と、前記音声信号処理部によって信号処理された音声信号を前記無線スピーカに送信する音声信号送信部と、前記音声信号送信部の送信先となる前記無線スピーカの識別データと前記音声信号入力端子の対応を記憶する記憶部と、前記無線スピーカとの間で制御信号を送受信する制御信号送受信部と、前記制御信号送受信部が受信した制御信号及び識別データに基づいて、前記音声信号送信部から前記無線スピーカに送信する音声信号を切替え制御する制御部とを備える。
【手続補正４】
【補正対象書類名】明細書
【補正対象項目名】００２０
【補正方法】変更
【補正の内容】
【００２０】
図４は、図１の無線スピーカ２（２ａ、２ｂ、２ｃ）の構成を示すブロック図である。無線スピーカ２において、音声信号受信部２１は、オーディオセンタ１の音声信号送信部１３ａ、１３ｂ、または１３ｃから送出された音声信号を受信する。音声処理部２２は、ＤＡＣ(Digital to Analog Convertor)やＤＳＰ(Digital Signal Processor)から成り、音声信号受信部２１が受信した音声信号のＤＡ変換、ディジタル信号処理等を行う。スピーカ部２３は、音声処理部２２からの音声信号を音声に変換して出力する。
ジャイロセンサ２４は、無線スピーカ２のロール角（回転角）を計測する。制御部２５は、ジャイロセンサ２４が計測したロール角を取得し制御信号に変換して、制御信号送受信部２６によって送信し、さらに、音声信号受信部２１、表示部２７を制御する。また、制御部２５は、予め設定された識別データ（スピーカＩＤ）を記憶する。制御信号送受信部２６は、制御部２５の制御信号及びスピーカＩＤの送受信を行う。表示部２７は、図３に示す外観に表れている表示部２７ａ、２７ｂ、２７ｃ、２７ｄ、２７ｅ、２７ｆとして構成されている。
【手続補正５】
【補正対象書類名】明細書
【補正対象項目名】００２１
【補正方法】変更
【補正の内容】
【００２１】
図５は、無線スピーカ２の制御フローの一実施例を示すフローチャートである。図５において、まず、ユーザが無線スピーカ２のロール角を操作する（ステップＳ１）。ロール角操作とは、図２において、無線スピーカ２を、Ａ方向（時計回り）または、Ｂ方向（反時計回り）に回転させる操作を意味する。制御部２５は、その回転操作に伴うロール角をジャイロセンサ２４により取得し（ステップＳ２）、取得したロール角から無線スピーカ２の入力ソースとなっている再生装置（１１a、１１b、１１c）と対応する値の割り出しを行い（ステップＳ３）、その値に応じて当該入力ソースに対応するように、表示部２７の点灯箇所の切り替え（ステップＳ４）、音声受信信号の切り替え（ステップＳ５）を行う。
図３において６か所ある表示部２７ａ、２７ｂ、２７ｃ、２７ｄ、２７ｅ、２７ｆは、回転操作による置き方に応じて、いずれかの表示部２７（２７ａ、２７ｂ、２７ｃ、２７ｄ、２７ｅ、２７ｆ）が表示されるように、制御部２５によって切り替えられる。ここで、制御部２５は、例えば、回転操作によって一番上に位置した表示部２７（図３では２７ａ）を表示するように切り替える。
【手続補正６】
【補正対象書類名】図面
【補正対象項目名】図５
【補正方法】変更
【補正の内容】
【図５】
2014176070.tif 000001